(57)【要約】【課題】画面部の変更や従来の画面部の再利用を容易にする。【解決手段】紙面上に絵あるいは文字を描いた画面部１の裏面に着脱自在テープのループ状側部分２ａを貼り付けるとともに、このループ状側部分２ａに対応して、ボーリング場用マスキングボード３上に着脱自在テープの鈎状側部分２ｂを貼り付け、ループ状側部分２ａと鈎状側部分２ｂとを着脱自在に取り付ける。【選択図】　図１
2004121752.tif 000002
【特許請求の範囲】
【請求項１】
ボーリング場用マスキングボード上に、紙面上に絵あるいは文字を描いた画面部を着脱自在に取り付けたことを特徴とするボーリング場用マスキングボード構造体。
【請求項２】
ボーリング場用マスキングボードは、ボード本体部と、その周囲の枠部とからなり、画面部をボード本体部及び枠部を覆うように取り付けたことを特徴とする請求項１記載のボーリング場用マスキングボード構造体。
【請求項３】
ボーリング場用マスキングボード上に画面部を短く切った着脱自在テープにより取り付けたことを特徴とする請求項１又は２記載のボーリング場用マスキングボード構造体。
【請求項４】
着脱自在テープのボーリング場用マスキングボード側部分の取付に際して型紙を用いたことを特徴とする請求項３記載のボーリング場用マスキングボード構造体。
【請求項５】
着脱自在テープのボーリング場用マスキングボード側部分の一部を複数のマスキングボード構造体を取り付けるためのフレームに取り付けたことを特徴とする請求項３又は４記載のボーリング場用マスキングボード構造体。
【請求項６】
画面部の絵あるいは文字をＣＧにより描いたことを特徴とする請求項１〜４の何れかに記載のボーリング場用マスキングボード構造体。
【発明の詳細な説明】
【０００１】
【発明の属する技術分野】
この発明は、ボーリング場用マスキングボード構造体に関するものである。
【０００２】
【従来の技術】
ボウリング場においては、各レーンのピン側では、ボウリング用機械部分を隠すためにマスキングボードが設置されており、マスキングボードには一般に絵あるいは文字が描かれている。
【０００３】
ところで、従来では、マスキングボード上の絵あるいは文字を変更したい場合には、マスキングボード自体を交換するか、あるいは布等に絵や文字を描いた画面部をマスキングボード上にのりや両面テープによって貼り付けていた。
【０００４】
なお、この発明は先行技術調査を行うことなく、公知・公用の技術をもとに開発したものであり、出願人が知っている先行技術は文献公知発明に係るものではないため、先行技術文献情報はない。
【０００５】
【発明が解決しようとする課題】
上記した従来のボーリング場用マスキングボードにおいては、全体的な交換は費用が掛かり、画面部をマスキングボードにのりや両面テープにより貼り付けた場合には、この画面部の除去が困難であり、画面部の再度の変更や従来の画面部の利用が困難であった。
【０００６】
この発明は上記のような課題を解決するために成されたものであり、画面部の変更や従来の画面部の再利用が容易なボーリング場用マスキングボード構造体を得ることを目的とする。
【０００７】
【課題を解決するための手段】
この発明の請求項１に係るボーリング場用マスキングボード構造体は、ボーリング場用マスキングボード上に、紙面上に絵あるいは文字を描いた画面部を着脱自在に取り付けたものである。
【０００８】
請求項２に係るボーリング場用マスキングボード構造体は、ボーリング場用マスキングボードが、ボード本体部と、その周囲の枠部とからなり、画面部をボード本体部及び枠部を覆うように取り付けたものである。
【０００９】
請求項３に係るボーリング場用マスキングボード構造体は、ボーリング場用マスキングボード上に画面部を短く切った着脱自在テープにより取り付けたものである。
【００１０】
請求項４に係るボーリング場用マスキングボード構造体は、着脱自在テープのボーリング場用マスキングボード側部分の取付に際して型紙を用いたものである。
【００１１】
請求項５に係るボーリング場用マスキングボード構造体は、着脱自在テープのボーリング場用マスキングボード側部分の一部を複数のマスキングボード構造体を取り付けるためのフレームに取り付けたものである。
【００１２】
請求項６に係るボーリング場用マスキングボード構造体は、画面部の絵あるいは文字をＣＧにより描いたものである。
【００１３】
【発明の実施の形態】
以下、この発明の実施の形態を図面とともに説明する。図２はこの実施形態による画面部の一部斜視図であり、画面部１は紙面上にＣＧ（コンピュータグラフィック）により絵や文字を描いて形成される。この画面部１の裏面の縁部の所定位置には、図３に示すように、短く切った着脱自在テープの着脱される一方の側を貼り付ける。例えば、着脱自在テープとしてマジックテープ（登録商標）を用いた場合には、そのループ状側部分２ａを貼り付ける。
【００１４】
図４はレーンに対応して横方向に並べて設置された施工前のマスキングボード３を含むボーリング場内を示す。図５は取り外されたマスキングボード３の一部を示し、マスキングボード３は絵あるいは文字が描かれたボード本体部３ａと、その周囲に設けられたアルミ製の枠部３ｂとからなり、図６（ａ），（ｂ）に示すように、画面部１に設けられた着脱自在テープのループ状側部分２ａに対応した位置に凹部４ａを有する型紙４をマスキングボード３に当て、この凹部４ａに短く切った着脱自在テープの着脱される他方の側である鈎状側部分２ｂを貼り付ける。この結果、鈎状側部分２ｂは、マスキングボード３の枠部３ｂ上に主に貼られ、ボード本体部３ａ上にも貼られる。図７は着脱自在テープの鈎状側部分２ｂを貼り付けられたマスキングボード３の斜視図であり、ボード本体部３ａ上にも鈎状側部分２ｂを貼り付けた場合を示す。なお、着脱自在テープはマジックテープに限られるものではなく、要するに画面部１側とマスキングボード３側を着脱自在に取り付けることができるものであれば良く、テープ状の物でなくても良い。
【００１５】
次に、図１に示すように、マスキングボード３上に設けられた着脱自在テープの鈎状側部分２ｂの上に画面部１に設けられた着脱自在テープのループ状側部分２ａを押圧し、マスキングボード３のボード本体部３ａ及び枠部３ｂ上に画面部１を着脱自在に取り付ける。このように、マスキングボード３上に画面部１を取り付けた複数のマスキングボード構造体６を図８に示すようにフレーム５に取り付け、図９に示すように各マスキングボード構造体６を横方向に並設し、画面部１の変更は完成する。
【００１６】
なお、マスキングボード３の角の部分などにおいてはフレーム５に取り付けるなどの関係上着脱自在テープの鈎状側部分２ｂを貼り付けることができない場合がある。そのような場合には、図１０に示すように、着脱自在テープの鈎状側部分２ｂをフレーム５に貼り付け、画面部１の角部等をフレーム５に取り付けるようにしてもよい。
【００１７】
上記実施形態においては、マスキングボード３上に画面部１を着脱自在テープを用いて取り付けたので、画面部１の着脱は容易であり、マスキングボード３上に描かれた画面を損傷することもないので、従来の画面の再利用が可能であるとともに、画面部１の再変更も容易である。また、一度貼った着脱自在テープの鈎状側部分２ｂは画面部１の再変更の際にも用いることができ、着脱自在テープのループ状側部分２ａが貼られた新たな画面部１が搬入されれば、例えば２４レーン分を約１時間半で新たな画面部１と交換することができる。又、長さが長い着脱自在テープを一度に真っ直ぐに貼るのは困難であり、熟練した技術が必要であるが、着脱自在テープを短く切ったので、ボウリング場の従業員により容易に貼ることができる。さらに、着脱自在テープの鈎状側部分２ｂをマスキングボード３に貼る際には型紙４を用いるので、ボウリング場従業員は位置を間違えずに貼ることができ、このため、画面部１をマスキングボード３上に正確に取り付けることができ、着脱自在テープの使用量も半減することができる。
【００１８】
又、画面部１はマスキングボード３の本体部３ａ上ばかりでなく、枠部３ｂ上にも取り付けているので、枠部がなく、従来より大きい画面を得ることができる。また、画面部１は紙製であるので、保管の際丸めて畳むことができ、場所をとらず、また丈夫であって、切れたり、裂けたりし難く、複数回の使用が可能である。さらに、画面部１の絵等はＣＧにより制作し、一枚一枚プリントアウトするので、オリジナル製品を容易に得ることができるとともに、マスキングボード３の寸法や形状等に変更があっても容易に対応することができる。又、マスキングボード構造体６を取り付けるフレーム５に着脱自在テープの鈎状側部分２ｂを取り付けることにより、画面部１の取付を確実に行うことができる。
【００１９】
【発明の効果】
以上のようにこの発明の請求項１によれば、マスキングボード上に画面部を着脱自在に取り付けており、画面部の着脱が容易であるので、マスキングボード上に描かれた画面の再利用が可能であるとともに、画面部の再変更も容易である。又、画面部は紙製であるので、丈夫で複数回の使用が可能であるとともに、丸めて畳むことができるので、保管場所が小さくて済む。
【００２０】
請求項２によれば、画面部をマスキングボードの本体部上ばかりでなく、枠部上にも取り付けており、枠部のない従来より大きな画面のマスキングボードを得ることができる。
【００２１】
請求項３によれば、画面部をマスキングボード上に短く切った着脱自在テープにより取り付けており、熟練した技術がなくとも簡単に取り付けることができる。
【００２２】
請求項４によれば、着脱自在テープのマスキングボード側部分の取付に際して型紙を用いているので、着脱自在テープの画面部側部分と対応した位置にマスキングボード側部分を取り付けることができ、画面部をマスキングボード上の正確な位置に取り付けることができ、また着脱自在テープの使用量も低減することができる。
【００２３】
請求項５によれば、着脱自在テープのボーリング場用マスキングボード側部分の一部を複数のマスキングボード構造体を取り付けるためのフレームに取り付けており、該部分をマスキングボードに取り付けることができない場合にはフレームに取り付けることにより画面部の取付を確実に行うことができる。
【００２４】
請求項６によれば、画面部の絵等をＣＧにより制作しており、オリジナル製品の制作が容易であるとともに、マスキングボードの寸法や形状等の変更に容易に対応することができる。
【図面の簡単な説明】
【図１】この発明によるマスキングボード上に画面部を取り付ける際の斜視図である。
【図２】この発明による画面部の斜視図である。
【図３】この発明による着脱自在テープのループ状側部分を裏面に貼り付けられた画面部の斜視図である。
【図４】施工前のマスキングボードを含むボーリング場内のの斜視図である。
【図５】取り外された一部のマスキングボードの正面図である。
【図６】この発明による着脱自在テープの鈎状側部分を型紙を用いて貼り付ける際のマスキングボードの一部斜視図である。
【図７】この発明による着脱自在テープの鈎状側部分を貼り付けたマスキングボードの斜視図である。
【図８】この発明によるマスキングボード構造体をフレームに取り付けた状態の正面図である。
【図９】この発明による各マスキングボード構造体をフレームに並設した状態の正面図である。
【図１０】この発明による画面部をフレームに取り付ける際の正面図である。
【符号の説明】
１…画面部
２ａ…ループ状側部分
２ｂ…鈎状側部分
３…マスキングボード
３ａ…ボード本体部
３ｂ…枠部
４…型紙
５…フレーム
６…マスキングボード構造体
【図１】
2004121752.tif 000003
【図２】
2004121752.tif 000004
【図３】
2004121752.tif 000005
【図４】
2004121752.tif 000006
【図５】
2004121752.tif 000007
【図６】
2004121752.tif 000008
【図７】
2004121752.tif 000009
【図８】
2004121752.tif 000010
【図９】
2004121752.tif 000011
【図１０】
2004121752.tif 000012